(57)【特許請求の範囲】
【請求項１】
先端に傘保持具(5) が装備されたシャフト(1) に、パイプ(P) の適宜部位に対して掴持する固定可能なクランパ(4,7)を、前記シャフト(1)に沿って移動及び任意位置にてロック可能に取り付けた傘保持装置であって、
前記傘保持具(5) は、レバー(55)により回動されるカム面(54a) で、開閉動作する可動プレート(52)を固定プレート(51)に押し付けることにより、それら可動プレート(52)と固定プレート(51)とで傘の把持部(U) を挟んで支持可能とする一方、
前記クランパ(4,7) は、シャフト(1) に対してスライド自在に挿通されたブラケット(21)を介して取り付けられており、そのブラケット(21)を、ノブ(22)付きの止めネジ(21a)によりシャフト(1)の任意の位置にてロック可能としたものであり、
さらに、前記クランパ(4,7) は、固定部(43,73)と可動部(44,74)とを備えていて、それら固定部(43,73)と可動部(44,74)とを互いに掴持面が向き合うよう組み合わせてその間にパイプ(P) を挟み込み固定するようになっており、固定部(43,73)に突設された支持軸(42,72)にＣ字状筒(31)を外嵌し、そのＣ字状筒(31)の開口部(32)に形成されたリップ部(32a) を、ブラケット(21)の先端に形成されたＵ字状部内に、両側板(23)で挟圧された状態でネジ止めし、そのネジ(33)を緩めることで、回動自在とし、
又前記クランパ(4,7) を、シャフト(1) に対し、シャフト(1) の長手方向と直交するネジ(33)と、そのネジ(33)に直交する支持軸(42,72)とを基準にして取り付け角度を調整可能としたことを特徴とする傘保持装置。
【請求項２】
クランパ(4) の固定部(43)と可動部(44)とを互いに向き合う部分が対称形の分離型とし、それら固定部(43)と可動部(44)とを左右一対のボルト(45)及びナット(45a) を介して組み付け、それらボルト(45)及びナット(45a)の締着によってパイプ(P) を掴持可能とした請求項１記載の傘保持装置。
【請求項３】
クランパ(7) の可動部(74)が、固定部(73)に対してその固定部(73)の片側部(73a) を支点に開閉動作自在とし、固定部(43)の他側部(73b) に揺動自在に設けられたノブ(82)付の締着ネジ(82a) を可動部(74)の遊端側に係止し、閉塞側に引き寄せることによってパイプ(P) を掴持可能とした請求項１又は請求項２記載の傘保持装置。
【請求項４】
クランパ(4,7) の掴持対象が、車椅子のフレームを形成するパイプである請求項１記載の傘保持装置。
【請求項５】
クランパ(4,7) の掴持対象が、歩行補助用手押し車、自走式カート、折り畳みパイプ椅子、ベンチ、パイプ製脚材テーブル又はパイプフレーム製リュックサックのいずれか１のフレームを形成するパイプである請求項１記載の傘保持装置。
【発明の詳細な説明】
【０００１】
【発明の属する技術分野】
本発明は、太陽からの紫外線を避けながら又は降雪時や雨天時などでも濡れることなく屋外活動ができるようにする傘保持装置で、詳しくは傘を屋外物品のパイプを利用して支持固定する傘保持装置に関する。
【０００２】
【従来の技術】
従来は上記のように屋外で、真夏の炎天下、昨今は皮膚ガンを誘発する紫外線が透過されていると懸念される曇天において、又は降雪時や雨天時において、例えば歩行補助用手押し車を利用して外出する場合や野外スポーツを観戦したりする場合、日傘をさしたり、又は雨や雪を避ける雨傘を差したり、雨ガッパやレインコートを着用したりしなければならなかった。
【０００３】
【発明が解決しようとする課題】
しかし、片手で日傘や雨傘を持つと、片手が塞がって移動する間、迅速で且つ適切な動作ができず、特に、車椅子の利用者及び歩行補助用手押し車を利用する機会の多い老人にとっては危険である。また、野外スポーツを固定され又は載置された椅子に着座して観戦する場合、傘を持った片手を挙げた姿勢を続けることは辛いことであり、雨カッパ等を着用することはいちいち着替えなければならず面倒である。
【０００４】
【課題を解決するための手段】
本発明は上記従来の課題を解決すべく発明された傘保持装置であり、その請求項１に係る発明の構成は、先端に傘保持具(5) が装備されたシャフト(1) に、パイプ(P) の適宜部位に対して掴持する固定可能なクランパ(4,7)を、前記シャフト(1)に沿って移動及び任意位置にてロック可能に取り付けた傘保持装置であって、
前記傘保持具(5) は、レバー(55)により回動されるカム面(54a) で、開閉動作する可動プレート(52)を固定プレート(51)に押し付けることにより、それら可動プレート(52)と固定プレート(51)とで傘の把持部(U) を挟んで支持可能とする一方、
前記クランパ(4,7) は、シャフト(1) に対してスライド自在に挿通されたブラケット(21)を介して取り付けられており、そのブラケット(21)を、ノブ(22)付きの止めネジ(21a)によりシャフト(1)の任意の位置にてロック可能としたものであり、
さらに、前記クランパ(4,7) は、固定部(43,73)と可動部(44,74)とを備えていて、それら固定部(43,73)と可動部(44,74)とを互いに掴持面が向き合うよう組み合わせてその間にパイプ(P) を挟み込み固定するようになっており、固定部(43,73)に突設された支持軸(42,72)にＣ字状筒(31)を外嵌し、そのＣ字状筒(31)の開口部(32)に形成されたリップ部(32a) を、ブラケット(21)の先端に形成されたＵ字状部内に、両側板(23)で挟圧された状態でネジ止めし、そのネジ(33)を緩めることで、回動自在とし、
又前記クランパ(4,7) を、シャフト(1) に対し、シャフト(1) の長手方向と直交するネジ(33)と、そのネジ(33)に直交する支持軸(42,72)とを基準にして取り付け角度を調整可能としたことを特徴とする傘保持装置である。このように、クランパを固定したパイプが縦横へどのような角度であってもクランパをこの２つの軸を基準に調整することにより、傘保持具で把持部を挟んだ傘を任意角度に支持できる。さらに、クランパが、固定部と可動部とを備えていて、それら固定部と可動部とを互いに掴持面が向き合うよう組み合わせてその間にパイプを挟み込み固定するようになっており、固定部に突設された支持軸にＣ字状筒を外嵌し、そのＣ字状筒の開口部に形成されたリップ部を、ブラケットの先端に形成されたＵ字状部内に、両側板で挟圧された状態でネジ止めし、そのネジを緩めることで、支持軸とそれに直交するネジ軸との２軸によりシャフトに対しクランプを回動自在とし取り付け角度を調整することができたので、傘保持装置をパイプの任意の位置に掴持固定して取り付けることができる。
加えて、クランパとシャフト先端の傘保持具との間隔を簡単に調整することができる。また、シャフトの長手方向だけでなく、ブラケットに対しシャフト自体を軸中心として回動させることで、ブラケットが掴持されたパイプに対する傘保持具の向きも調整できる。
ここで、請求項２に係る傘保持装置は、請求項１記載の傘保持装置におけるクランパの固定部と可動部とを互いに向き合う部分が対称形の分離型とし、それら固定部と可動部とを左右一対のボルト及びナットを介して組み付け、それらボルト及びナットの締着によってパイプを掴持可能としたものである。これにより、クランパはパイプに対し確実に固定することができる。
また、請求項３に係る傘保持装置は、請求項１記載の傘保持装置におけるクランパの可動部が、固定部に対してその固定部の片側部を支点に開閉動作自在とし、固定部の他側部に揺動自在に設けられたノブ付の締着ネジを可動部の遊端側に係止し、閉塞側に引き寄せることによってパイプを掴持可能としたものである。これにより、クランパを工具無しで簡単にパイプから取り外しができ、他の屋外物品への移設も簡単にできる。
一方、請求項４に係る傘保持装置は、請求項１記載の傘保持装置におけるクランパの掴持対象を、車椅子のフレームを形成するパイプとしたものである。このように、車椅子のフレームを形成するパイプが縦横様々な方向に取り付けられていても、どの位置のパイプにでも傘保持装置を取り付けることができ、その取り付け位置から、車椅子着座者と介護者とのどちらに対しても傘の角度及び距離を設定して支持することができる。
また、請求項５に係る傘保持装置は、請求項１記載の傘保持装置におけるクランパの掴持対象を、歩行補助用手押し車、自走式カート、折り畳みパイプ椅子、ベンチ、パイプ製脚材テーブル又はパイプフレーム製リュックサックのいずれか１のフレームを形成するパイプとしたものである。これによっても、デッキチェアなどを利用している者は傘を片手で持つ必要が無くなり、両手を使って作業を行うことができる上、パイプの取り付け位置の直上では無い、少し離れた位置に対しても傘の角度及び距離を設定して支持することができる。
【０００５】
これら手段を他に表現するならば、屋外物品のパイプへ固定する取付部を基端側に位置変更可能に備えたシャフトと、そのシャフトの先端に装着された傘保持具とからなり、前記取付部は、前記シャフトに締結される基部の端部にＣ字状筒を軸着するとともに、そのＣ字状筒の内側に、固定部に可動部を左右端で螺着したクランパを、固定部から突設した支持軸を回動自在に嵌挿して取り付け、その固定部と可動部との間に屋外物品のパイプを挟持可能とすることにより、前記シヤフトの外周に対して前記ブラケットを回動させ前記クランパを前記基部の回動方向に直交する方向に揺動させるとともに、前記クランパを前記支持軸に対し回動自在とする一方、前記傘保持具は、固定プレートとその固定プレートに相対面した可動プレートとを互いにその略中央部でヒンジ接合するとともに、可動プレートの一側端部に偏心カムを取り付け、そのカム面で固定プレートの一側端部を押圧して偏心カムから延設したレバーにより開閉作動することにより固定プレート及び可動プレートの他側端部間に傘の把持部を挟持可能とするとともに、前記シヤフトに対して角度調整を可能とした傘保持装置であって、屋外物品のパイプに対し前記シャフトに固定した傘を任意角度及び任意距離に固定できるようにした傘保持装置となる。この他の手段１となる傘保持装置によれば、屋外物品の手摺や外枠を構成するパイプに、日傘や雨傘の把持部を任意な角度に設定し、又はシャフトの取付長さを調整して固定できるから、従来のように、日傘や雨傘を持った片手を塞さいだまま移動しなければならないという危険な時間帯を減少させることができる。
また、他の手段２となる傘保持装置は、上記他の手段１に係る分離型クランパに代わり、揺動型クランパを、取付部のＣ字状筒の内側に支持軸を回動自在に嵌挿し、固定部の一端に可動部の基端を回動自在とし、その固定部の他端と前記可動部の先端との両端のうち一方に固定部材を回動自在とし、その固定部材を、前記固定部の他端と前記可動部の先端との両端のうち他方に設けた係合溝に係合させ前記両端をノブにより締め付けて備えるものである。そして、その固定部と可動部との間に屋外物品のパイプを挟持可能とすることにより、前記シヤフトの外周に対して前記ブラケットを回動させ、前記Ｃ字状筒を前記ブラケットの回動方向に直交する方向に揺動させるとともに、前記Ｃ字状筒を外嵌した支持軸に対し回動自在とする。一方、前記傘保持具は、固定プレートとその固定プレートに相対面した可動プレートとを互いにその略中央部でヒンジ接合するとともに、可動プレートの一側端部に偏心カムを取り付け、そのカム面で固定プレートの一側端部を押圧して偏心カムから延設したレバーにより開閉作動することにより固定プレート及び可動プレートの他側端部間に傘の把持部を挟持可能とするとともに、前記シヤフトに対して角度調整を可能とした傘保持装置であって、屋外物品のパイプに対し前記シャフトに固定した傘を任意角度及び任意距離に固定できるようにした傘保持装置である。この他の手段２のものにあっては、上記の効果に加え、屋外物品のパイプに取り付ける揺動型クランパが、簡単な操作により開口できるから、屋外物品のパイプに切欠き箇所が設けられていない場合であっても可動部を螺着するボルトを外すことなく、緩めるだけで脱着が容易にできる。
特に、他の手段１又は他の手段２に記載のパイプを有する屋外物品は、車椅子若しくは歩行補助用手押し車又は固定され若しくは移動できる椅子である傘保持装置であることが望ましい。これにより、パイプを有する屋外物品が車椅子又は歩行補助用手押し車であるから、交通弱者となりやすい車椅子利用者や老人であっても、傘を手にすることなく両手で車椅子等を支持できるので、安全に通行することができる。また、固定されたパイプ椅子や移動できる折畳み製パイプ椅子に取り付ければ、狭い会場で石付きの突出した傘を開いたり、雨カッパにわざわざ着替える面倒を減らすことができる。
【０００６】
【発明の実施の形態】
以下、本発明を図面に従い説明すれば、次のようである。
図１は斜視図を示すものであって、図中符号１はシャフトであり、そのシャフト１の基端側には、屋外部品のパイプＰの適宜位置へ掴持し固定できる取付部２が、シャフト１に沿って上下方向へ移動する範囲で任意位置にロック可能に取り付けられ、またシャフト１の先端には傘保持具５が装着されている。
取り付け部２のクランパ４は固定部４３と可動部４４とを備えていて、それら固定部４３と可動部４４とは互いに向き合う部分が対称形に形成された分離型となり、互いに掴持面が向き合うよう組み合わせてその間にパイプＰを挟み込み、左右一対のボルト４５及びナット４５ａを介して締着によって固定するようになっている。固定部４３に突設された支持軸４２にＣ字状筒３１を外嵌し、そのＣ字状筒３１の開口部３２に形成されたリップ部３２ａを、ブラケット２１の先端に側板２３で形成されたＵ字状部内に、両側板２３で挟圧された状態でネジ３３により締止めされる。そして、そのネジ３３を緩めることで、クランパ４を、シャフト１に対し、シャフト１の長手方向と直交する第１の軸Ａとなるネジ３３の軸方向と、その第１の軸Ａと直交する第２の軸Ｂとなる支持軸４２とを基準にして取り付け角度を自在に調整することが可能となり、屋外部品のパイプＰが縦横どのような位置関係であっても、日傘や雨傘の把持部をほぼ垂直な適切な角度に設定でき、シャフトの取付長さを調整して頭の上を覆うように掴持固定することができる。
【０００７】
図２は取付部２の説明図である。
取付部２は、シャフト１に対してブラケット２１を介して取り付けられ、ブラケット２１の基端に設けた挿通孔にシャフト２１はスライド自在に挿通され、ノブ２２を付けた止めネジ２２ａによりその挿通孔を縦割りするスリット２１ａを締め付けることにより、シャフト１の任意位置にロックできる。
そのブラケット２１の先端に設けた２の側板２３，２３で形成されるＵ字状部２３の内側に、開口部３２にボルトナット３３を挿通して軸着されるＣ字状筒３１を設ける。そのＣ字状筒３１に設けた挿通孔３４の内側には、支持軸４２を回動自在に嵌挿し、その支持軸４２を突設する人字状に広がった固定部４３に、対称形に向き合ってＶ字状に広がった可動部４４を左右一対のボルト４５，４５でナット４５ａ，４５ａに螺着した分離型のクランパ４を備えている。これにより、取付部２のブラケット２１は、シャフト１に対し長手方向となる上下方向へのスライドと、シャフト１の長手方向へ直交する方向へ回動とにおいて位置調整が自在であり、Ｃ字状筒３１は、ブラケット２１の先端部に対しボルトナット３３を軸中心としてブラケット２１の回動方向に直交する方向、つまり上下方向へ回動自在である。また、クランパ４は、Ｃ字状筒３１に対し挿通孔３４又は支持軸４２を回動軸として回動自在となっているから、シャフト１は取付部２により自由な位置又は角度に取り付けられる。また、クランパ４の可動部４４は、ボルト４５，４５を緩めることにより矢印方向へ着脱自在であるから、屋外物品のパイプＰを固定部４３と可動部４４とで挟持することができる。なお、挿通孔３４の内側に嵌挿される支持軸４２の外周には溝４２ａが設けられ、挿通孔３４の内周に設けられた凸部３４ａが嵌合されるので抜け止め防止が図られている。
【０００８】
図１の傘保持具５は、固定プレート５１とその固定プレート５１に相対面した可動プレート５２とを、互いにその略中央部で枢支軸５３により接合され、可動プレート５２の一側端部に、レバー５５より延設した偏心カム５４を、そのカム面５４ａで固定プレート５１の一側端部を押圧し、レバー５５により開閉作動するように取り付け、固定プレート５１及び可動プレート５２の他側端部間に傘Ｕの把持部を挟持可能とするとともに、シヤフト１に対して角度を調整できる。なお、レバー５５は、固定プレート５１側方へ一体成形されたストッパー５８により、回動範囲が規制されるようになっている。
【０００９】
図３は傘保持具５の分解説明図であって、固定プレート５１及び可動プレート５２の他端部側が開くよう枢支軸５３にはコイルスブリング５６が組み込まれている。
コイルスブリング５６により接近力が付与される可動プレート５２の一端部側はＬ状に固定プレート５１側へ屈曲し、その屈曲した面に偏心カム５４が回動自在にピン５４ｂにより軸承装着されている。この偏心カム５４は、膨出円弧辺が固定プレート５１の板面に当接し、その膨出円弧辺とピン５４ｂに対し反対側へ突出した操作レバー５５の回動作動により、コイルスプリング５６の力に抗して可動プレート５２の一端部側が押し開かれる一方、Ｌ状屈曲された一端部側とは反対側へ「く」の字に屈曲形成された他端部側は、一端部側とは逆に固定プレート５１側へ近接される。また、固定プレート５１には、可動プレート５２の前記「く」字状の他端部と向かい合わせとなる凹部が形成されており、内面には複数の滑り止め溝５７が設けられている。
可動プレート５２の背面には、シャフト１上端に設けた挿通孔へ、コイルスプリング６２とゴムワッシャ６３を介してボルト６４及びナット６５を枢着するための連結部材６１が設けられている。
【００１０】
図４は図１以下に示した取付部２の変更例を示す斜視図であって、分離型のクランパ４に代わり、屋外物品のパイプから工具を使わずに容易に脱着ができる揺動型クランパ７を備えるものである。この揺動型クランパ７は、シャフト１に締結された取付部２のブラケット２１の先端部に軸着されたＣ字状筒３１の内側に、突設された支持軸７２が回動自在に嵌挿されている。そして、支持軸７２を突設する固定部７３の一端となる片側部７３ａには、可動部７４がその基端をピン７５ａにより回動自在に取り付けられ、可動部７４がそれを支点に開閉動作自在に設けられている。また、その固定部７３の他端となる他側部７３ｂには、固定部材となる締着ネジ８１がピン７５ｂにより揺動自在に設けられ、可動部７４の先端となる遊端側には係合溝７６が穿設されている。
そして、パイプＰを固定するためには、可動部７４を固定部７３へ閉塞動作するように揺動し、その締着ネジ８１を係合溝７６に係合し、締着ネジ８１に挿通された皿部材８３を、可動部７４の受け凹部７７に当接させながら、締着ネジ８１の先端に螺合されたノブ８２で締め付けることより皿部材８３で固定部７３の他端と可動部７４の先端とを閉塞側に引き寄せ、屋外物品のパイプＰを掴持して固定することができる。
これにより、図５に示すように、ノブ８２を緩めて皿部材８３を受け凹部７７から離し、締着ネジ８１を係合溝７６から外すことにより、固定部７３の他端と可動部７４の先端とが開口し、屋外物品のパイプに切欠き箇所が設けられていない場合であっても脱着が容易にできる。
【００１１】
このように形成された傘保持装置を屋外物品に取り付けた状態を説明する。図６は傘保持装置を車椅子の持ち手９１に取り付け、介添者側に傘を差した状態を示し、他に、持ち手９１より前方に位置する縦状態のパイプ９２に掴持固定し車椅子着座者が利用することもできる。図７は休憩用椅子部１０１を設けた４輪式の歩行補助用手押し車を示している。図８は買い物かご１０２を取り外し自在に前輪の上に載置した３輪式の歩行補助用手押し車を示している。図９は内蔵された蓄電池に接続されたモータにより駆動される３輪式の自走式カートであり、車台１０３に座席１０４、ハンドル１０５及び荷物カゴ１０６を取り付けている。図１０は折り畳み可能なパイプ椅子であり、背もたれの横桁パイプ９１と手スリの前端を支持する縦桁パイプ９２を備えており、図１１は固設されたベンチであり、背もたれを支持する縦桁パイプ９２を備えている。このような図９〜図１１にそれぞれ示すように、取付部２の固定部７３と可動部７４とが、手すり又は背もたれのフレームを形成する横桁パイプ９１又は縦桁パイプ９２を挟持してノブ２２を締め付け操作すれば、取付部２はそれぞれのパイプ９１，９２に掴持固定される。又傘保持具５は、図４のように固定プレート３１の凹部と可動プレート３２のくの字状屈曲部との間に、傘の把持部Ｕを挿通してレバー５５を操作すれば、その間に挿入された傘は把持部Ｕで確実に挟持され、屋外物品の手すりなどのパイプを利用して傘を支持することができる。
そしてその傘は、傘保持具とシャフトとが、コイルスブリングとゴムワッシャを介して回動自在且つ所望位置で固定可能に取り付けられているので、吸着具の取り付け角度との組み合わせでどのような方向にでも傘の姿勢を調整できる上、傘保持具とシャフトとの距離も調整することができるから、手すりなどから頭部までの距離に合わせて傘の位置を調整できる。
それによって炎天下や曇天時、また、降雪や降雨時において、図６に示すごとく、自分で傘をさしかけたと同じ効果が得られ、屋外物品が車椅子又は歩行補助用手押し車等のように、例えば直進性を維持したり加速・減速・停止の操作を同時に行ったりするために両手で操作する必要がある場合、車椅子着座者は車椅子の車輪に又は介添者等は車椅子若しくは歩行補助用手押し車の持ち手に両手を常に接触させておくことができるから、機敏な制御を常に行うことができ大いに役立つ。
また、他には、図９のハンドル１０５にある横パイプ９３、図１２のようにテーブルの脚部材９４及び図１３のようにバックパック又はリュックサックの補強用フレーム９５に、傘保持装置により傘を掴持固定できる。更に、図１３以下に備えた取付部を省略し、図１４（ｂ）に示すように雄ネジ部１ａと雌ネジ部１ｂとの端部同士を螺着して延設したシャフト１を、図１４（ａ）に示すように下端１ｃを地中に刺し込むことにより、手を使わずに傘保持具５で傘の把持部Ｕを掴持固定しておくことができる。
【００１２】
なお、上記説明の揺動型クランパ７では、締着ネジ８１を固定部７３の他端に回動自在に備え、可動部７４の先端に、締着ネジ８１を係合させる係合溝７６を設けることにより、締着ネジ８１を固定部７３の片側部から垂下させ閉塞動作を行いやすくしているが、締着ネジ８１を可動部７４の遊端側に回動自在に備え、固定部７３の他端に係合溝７６を穿設することもできる。
【００１３】
【発明の効果】
本発明の請求項１に係る傘保持装置によれば、屋外物品の手摺や外枠を構成するパイプの縦横どの位置であっても、日傘や雨傘の把持部をほぼ垂直な適切な角度に設定し又はシャフトの取付長さを調整して頭の上を覆って掴持固定できるから、従来のように、日傘や雨傘を持った片手が塞がったまま、移動しなければならないという危険な行動を減少させ、傘を持つ手を挙げた辛い姿勢のまま観戦を続けることを無くすことができる。
それに加えて、クランパが備えている固定部と可動部とを互いに掴持面が向き合うよう組み合わせてその間にパイプを挟み込み固定するようになっており、固定部に突設された支持軸にＣ字状筒を外嵌し、そのＣ字状筒の開口部に形成されたリップ部を、ブラケットの先端に形成されたＵ字状部内に、両側板で挟圧された状態でネジ止めし、そのネジを緩めることで、支持軸とそれに直交するネジ軸との２軸によりシャフトに対しクランプを回動自在とし取り付け角度を調整することができたので、傘保持装置をパイプの任意の位置に掴持固定して取り付けることができる。
他にも、ブラケットを、ノブ付きの止めネジによりシャフトの任意位置にてロック可能としたものであるから、クランパとシャフト先端の傘保持具との間隔を簡単に調整することができる。
そして、請求項２に係る発明にあっては、クランパの固定部と可動部とを互いに向き合う部分が対称形の分離型とし、それら固定部と可動部とを左右一対のボルト及びナットを介して組み付け、それらボルト及びナットの締着によってパイプを掴持可能としたことにより、クランパはパイプに対し確実に固定することができる。
また、請求項３に係る発明にあっては、屋外物品のパイプに取り付ける揺動型クランパが、工具を使わない簡単な操作により開口できるから、屋外物品のパイプに切欠き箇所が設けられていない場合であっても可動部を螺着するボルトを外すことなく緩めるだけで脱着が容易にでき、移設も簡単になる。
更に、請求項４に係る発明にあっては、クランパの掴持対象は、車椅子のフレームを形成するパイプであるから、交通弱者となりやすい車椅子利用者やその介添いにあっても、傘を手にすることなく両手で車椅子の車輪又は持ち手を支持できるので安全に通行することができる上、日焼けや雨に濡れて生じる体力の消耗も少なくなる。
また、請求項５に係る発明にあっては、クランパの掴持対象を、歩行補助用手押し車、自走式カート、折り畳みパイプ椅子、ベンチ、パイプ製脚材テーブル又はパイプフレーム製リュックサックのいずれか１のフレームを形成するパイプとしたものである。これによっても、デッキチェアなどを利用している者は傘を片手で持つ必要が無くなり、両手を使って作業を行うことができる上、パイプの取り付け位置の直上では無い、少し離れた位置に対しても傘の角度及び距離を設定して支持することができる。
【図面の簡単な説明】
【図１】傘保持装置を示す斜視図である。
【図２】取付部を示す説明図である。
【図３】傘保持具を分解した説明図である。
【図４】図１の取付部を変更した他の傘保持装置を示す斜視図である。
【図５】図４の揺動型クランパを示す説明図である。
【図６】傘保持装置を車椅子に取り付けた状態の説明図である。
【図７】歩行補助用手押し車に取り付けた状態の説明図である。
【図８】歩行補助用手押し車に取り付けた状態の説明図である。
【図９】自走式カートに取り付けた状態の説明図である。
【図１０】折り畳み可能なパイプ椅子に取り付けた状態の説明図である。
【図１１】固設したベンチに取り付けた状態の説明図である。
【図１２】手押し車に取り付けた状態の説明図である。
【図１３】手押し車に取り付けた状態の説明図である。
【図１４】取付部を有さず地表に刺した状態の説明図である。
【符号の説明】
１・・シャフト
２・・取付部
２１・・ブラケット
２１ａ・・スリット
２２・・ノブ
２２ａ・・止めネジ
２３・・Ｕ字状部
３１・・Ｃ字状筒
３２・・割溝
３３・・ボルトナット
３４・・挿通孔
３４ａ・・凸部
４・・クランパ                ７・・クランパ
４２・・支持軸                ７２・・支持軸
４２ａ・・溝部                ７２ａ・・溝部
４３・・固定部                ７３・・固定部
４４・・可動部                ７４・・可動部
４５・・ボルト                ７５・・ボルト
５・・傘保持具                    ７６・・係合溝
５１・・固定プレート            ７７・・受け凹部
５２・・可動プレート          ８１・・締着ネジ
５３・・枢支軸                  ８２・・ノブ
５４・・偏心カム                ８３・・皿部材
５４ａ・・カム面
５５・・レバー
５６・・コイルスプリング
５７・・滑り止め溝
５８・・ストッパー
６１・・連結部材
６２・・コイルスプリング
６３・・ゴムワッシャ
６４・・ボルト
６５・・ナット
【図１】
0004089839.tif 000002
【図２】
0004089839.tif 000003
【図３】
0004089839.tif 000004
【図４】
0004089839.tif 000005
【図５】
0004089839.tif 000006
【図６】
0004089839.tif 000007
【図７】
0004089839.tif 000008
【図８】
0004089839.tif 000009
【図９】
0004089839.tif 000010
【図１０】
0004089839.tif 000011
【図１１】
0004089839.tif 000012
【図１２】
0004089839.tif 000013
【図１３】
0004089839.tif 000014
【図１４】
0004089839.tif 000015